(57)【要約】 【課題】  給油作業における給油口からのキャップ取り外し又は給油口への装着作業に関連させて、所定の収納場所の所在又は所定の収納場所でのキャップ忘れを報知することができる燃料タンクのキャップ報知システムを提供する。【解決手段】  実給油の開始に当たってキャップ保持器８０の所在が、また実給油を終了した際にはキャップ保持器８０にキャップが保持されていることを、キャップ保持器８０に備えられた発光表示器８６の給油作業の進行に合わせた点滅開始によって感得できるようにした。【選択図】  図１
2005289455.tif 000002
【特許請求の範囲】
【請求項１】
燃料補給口から取り外されたキャップを収納する収納手段と、
該収納手段に設けられ、キャップが収納されているか否かを検出するキャップ検知手段と、
前記収納手段に設けられた報知手段と、
燃料補給作業におけるキャップの燃料補給口からの取り外し作業又は燃料補給口への装着作業の前作業の完了を検出する前作業検出手段と、
該前作業検出手段の検出により前記報知手段を報知起動させ、前記キャップ検知手段のその後の検出状態変化により前記報知手段の作動を停止させる報知制御手段と
を備えていることを特徴とするキャップ報知システム。
【請求項２】
前記前作業検出手段は、燃料補給ノズルの所定収納場所に対する収納又は取り外しを検出するノズル収納検出手段
であることを特徴とする請求項１記載のキャップ報知システム。
【請求項３】
燃料補給口から取り外されたキャップを収納する収納手段と、
該収納手段に設けられ、キャップが収納されているか否かを検出するキャップ検知手段と、
燃料補給作業におけるキャップの燃料補給口への装着作業の前作業の完了を検出する前作業検出手段と、
該前作業検出手段の検出後、前記キャップ検知手段による収納検出が予め定められた所定時間継続しているか否かに基づき、キャップの燃料補給口への装着忘れを検出するキャップ忘れ検出手段と、
燃料補給作業が行われる燃料補給エリアとは離れた事務所に設けられた報知手段と、
前記キャップ忘れ検出手段のキャップ忘れ検出により、該報知手段を報知起動させる報知制御手段と
を備えていることを特徴とするキャップ報知システム。
【請求項４】
前記報知制御手段は、事務所に設けられた燃料補給管理装置であり、前記報知手段は該燃料補給管理装置に備えられた表示手段である
ことを特徴とする請求項３記載のキャップ報知システム。
【請求項５】
前記収納手段は、燃料補給口を介して燃料の補給を行う燃料補給装置に対応して設けられ、前記燃料補給管理装置は、該燃料補給装置の補給データに対応させて前記キャップ忘れ検出手段によって検出されたキャップ忘れを記憶する
ことを特徴とする請求項４記載のキャップ報知システム。
【発明の詳細な説明】
【技術分野】
【０００１】
本発明は、ガソリンや軽油等の油液を車両等の燃料タンクに供給する燃料供給システムの燃料タンクのキャップ報知システムに関する。
【背景技術】
【０００２】
従来、この種の燃料供給システムの一例として、顧客自ら燃料供給装置としての計量機を操作して給油作業を行うセルフサービス給油システムがある。このセルフサービス給油システムでは、顧客自らが車両等の燃料タンクの給油口キャップを取り外し、計量機に備えられた給油ノズルの筒先を給油口に挿入して給油ノズルを開弁操作し、燃料タンクに油液の補給を行う。
【０００３】
【特許文献１】特開２００３−２６２９８号公報
【発明の開示】
【発明が解決しようとする課題】
【０００４】
ところが、上述したセルフサービス給油システムに不慣れな顧客にとっては、計量機に油液の補給中のキャップ置きが備えられていても、燃料タンクの給油口から取り外した給油口キャップ（以下、キャップと称する）を何処に置いておけばよいのか判りにくかった。その結果、所定のキャップ置き以外の適当な場所にキャップを置くこととなり、キャップも、置いた場所も汚してしまう。また、給油終了後、燃料タンクの給油口にキャップを装着する場合に、キャップの置き場所がわからなくなってしまい、後に続く顧客がなかなか給油作業を開始することができず、給油待ちの混雑を招くこともある。
【０００５】
また、油液の補給終了後は、顧客は給油ノズルを計量機に備えられたノズル収納場所に戻して給油口にキャップを装着し、給油場所とは別の精算場所で精算処理を終えて一連の給油作業を終了するが、不慣れな顧客に限らず、キャップを給油口の装着し忘れたまま、精算処理を終えて出発してしまうことも多々あった。この場合、キャップを忘れた顧客に連絡を取ろうとしても、忘れられたキャップがどの顧客のキャップであるか特定できず、顧客からの申し出があるまで連絡をとることができなかった。この結果、顧客は次回給油作業の際に給油口にキャップが装着されていないことに気づくまで、キャップが装着されていない状態のままで車両を走行させることとなり、安全上も好ましくなかった。
【０００６】
本発明は、上述した問題点を鑑みてなされたものであって、給油作業における給油口からのキャップ取り外し又は給油口へのキャップ装着作業に関連させて、収納場所の所在又は収納場所でのキャップ忘れを報知することができる燃料タンクのキャップ報知システムを提供することを目的とする。
【０００７】
また、本発明は、顧客が給油口にキャップを装着し忘れまま精算処理を終えて出発してしまったことが判明した場合には、装着し忘れたキャップの顧客を精算処理との関連で特定できるようにした燃料タンクのキャップ報知システムを提供することを目的とする。
【課題を解決するための手段】
【０００８】
上述した課題を解決するために本発明のキャップ報知システムは、燃料補給口から取り外されたキャップを収納する収納手段と、該収納手段に設けられ、キャップが収納されているか否かを検出するキャップ検知手段と、前記収納手段に設けられた報知手段と、燃料補給作業におけるキャップの燃料補給口からの取り外し作業又は燃料補給口への装着作業の前作業の完了を検出する前作業検出手段と、該前作業検出手段の検出により前記報知手段を報知起動させ、前記キャップ検知手段のその後の検出状態変化により前記報知手段の作動を停止させる報知制御手段とを備えていることを特徴とする。
【０００９】
また、本発明のキャップ報知システムでは、前記前作業検出手段は、燃料補給ノズルの所定収納場所に対する収納又は取り外しを検出するノズル収納検出手段であることを特徴とする。
【００１０】
また、本発明のキャップ報知システムは、燃料補給口から取り外されたキャップを収納する収納手段と、該収納手段に設けられ、キャップが収納されているか否かを検出するキャップ検知手段と、燃料補給作業におけるキャップの燃料補給口への装着作業の前作業の完了を検出する前作業検出手段と、該前作業検出手段の検出後、前記キャップ検知手段による収納検出が予め定められた所定時間継続しているか否かに基づき、キャップの燃料補給口への装着忘れを検出するキャップ忘れ検出手段と、燃料補給作業が行われる燃料補給エリアとは離れた事務所に設けられた報知手段と、前記キャップ忘れ検出手段のキャップ忘れ検出により、該報知手段を報知起動させる報知制御手段とを備えていることを特徴とする。
【００１１】
また、本発明のキャップ報知システムでは、前記報知制御手段は、事務所に設けられた燃料補給管理装置であり、前記報知手段は該燃料補給管理装置に備えられた表示手段であることを特徴とする。
【００１２】
さらに、本発明のキャップ報知システムでは、前記収納手段は、燃料補給口を介して燃料の補給を行う燃料補給装置に対応して設けられ、前記燃料補給管理装置は、該燃料補給装置の補給データに対応させて前記キャップ忘れ検出手段によって検出されたキャップ忘れを記憶することを特徴とする。
【発明の効果】
【００１３】
本発明のキャップ報知システムによれば、顧客は、実際の燃料補給の開始に当たってキャップの収納手段の所在が、また実際の燃料補給を終了した際には収納手段にキャップが収納されていることを、収納手段に設けられた報知手段の燃料補給作業の進行に合わせた報知によって感得できるので、収納手段の所在及び収納手段にキャップが保持されていることを、燃料補給作業を行う顧客等に対して強く意識付けさせることができる。さらに、キャップを収納する収納手段を顧客等に強く意識付けできることによって、適当な場所にキャップを置いて、キャップも置いた場所も汚してしまうことや、キャップの置き場所がわからなくなってしまうことも防止できる。
【００１４】
また、顧客がキャップを装着し忘れている場合には、燃料補給所係員に対しても報知されるので、燃料補給を終えた顧客がキャップを装着し忘れたまま燃料補給所を出発する前に燃料補給所係員は注意等といった対応をはかることが可能になり、安全性が向上する。
【００１５】
さらに、燃料補給を終えた顧客がキャップを装着し忘れたまま燃料補給所を出発してしまった場合であっても、燃料補給管理装置が補給データに対応させてキャップ忘れを記憶しているので、キャップを忘れた顧客の特定も容易になる。
【発明を実施するための最良の形態】
【００１６】
以下、本発明のキャップ報知システムについて、前述したセルフサービス給油システムに適用した場合を例に、その実施の形態を図面とともに説明する。
【００１７】
図１は、本発明の一実施の形態によるキャップ報知システムが適用されるセルフサービス給油システムの実施例の構成図である。
【００１８】
セルフサービス給油システム１は、給油所内の給油エリア２に設けられたセルフサービス給油方式の計量機１０（１０-1〜１０-n）と、この１乃至は複数の計量機１０に対応させて設けられた釣銭機（精算機）５０と、給油所内の事務所３に設置された管理コンピュータとしての給油所管理装置６０とを備えている。
【００１９】
各計量機１０は、例えばガソリン等の燃料供給手段（例えばポンプ等の送液機器）、及び供給量計測手段（例えば流量計等の流量計測機器）を計量機本体１０Ａ内に備えている。供給手段から供給される燃料は、ホース１２先端に接続された給油ノズル１３から車両等の燃料タンクに給液される。その際の給油量は、供給量計測手段によって演算されて、表示器１６に表示される構成になっている。図示した計量機１０の場合は、計量機本体１０Ａにハイオク，レギュラー，軽油それぞれの給油ノズル１３-1，１３-2，１３-3を備えられ、一の給油エリア２でこれらの中のいずれかの油種が給油可能になっている。
【００２０】
さらに、本実施例に使用する計量機１０の場合は、計量機本体１０Ａに、給油エリア２及びその周辺の映像を撮影する監視カメラ２０、給油作業の開始に際して供給液種（油種）及び供給量（給油量）等といった給油作業データの設定を行う設定器３０、給油作業が終了した際に伝票を発行する伝票発行装置４０、等が一体的に設けられている。
【００２１】
釣銭機５０は、計量機１０による給油作業で釣銭が生じた場合に釣銭を顧客に返却するための機器である。本実施例では、釣銭機５０は、給油所係員による釣銭補充作業を容易にするため、複数の計量機１０に対応させて、事務所３内、又は事務所３近傍に設置されているものとする。また、この釣銭機５０にも、釣銭機５０周辺の映像を撮影する監視カメラ２０が一体的に設けられている。
【００２２】
給油所管理装置６０は、各計量機１０（１０-1〜１０-n）及び釣銭機５０との間でデータ送受信を行って各機器１０，５０の作動管理や給油所における販売管理を行う給油管理機（ＰＯＳ本体機）７０と、各監視カメラ２０によって撮影された各給油エリア２及び釣銭機５０周辺の撮影画像をモニタ６３に表示する監視モニタ装置６２と、各計量機１０に設けられたインタホン子機６５との間で通話を行うインタホン装置のインタホン親機６４とを備えた構成になっている。
【００２３】
給油管理機７０は、各計量機１０（１０-1〜１０-n）及び釣銭機５０とＳＳ−ＬＡＮ９０を介してシリアル伝送接続されている。また、監視モニタ装置６２は、各計量機１０の計量機本体１０Ａにそれぞれ一体的に設けられた監視カメラ２０と、ＳＳ−ＬＡＮ９０に沿わせて敷設した画像データ専用信号線９２を介して接続されているとともに、給油管理機７０とも別途接続されている。また、インタホン親機６４は、ＳＳ−ＬＡＮ９０に同様に沿わせて敷設した通話専用信号線９４を介して、各計量機１０のインタホン子機６５とそれぞれ接続されている。
【００２４】
次に、図２により、本実施例のセルフサービス給油システム１に使用される計量機１０（１０−１〜１０−Ｎ）のさらに具体的な構成について説明する。
【００２５】
図２は、本実施例のセルフサービス給油システムに使用される計量機の正面図である。
図２において、本実施例の計量機１０は、下部筺体部１０Ａａと、柱部１０Ａｃを介して下部筺体部１０Ａａに対して空間を空けて上方に支持された上部筺体部１０Ａｂとからなる計量機本体１０Ａを備えている。そして、下部筺体部１０Ａａは、さらに機器収納部１０Ａa1と表示器部１０Ａa2とに上下方向に分割された構成になっている。
【００２６】
本実施例の計量機１０は、計量機本体１０Ａの正面及び背面で同様な外観装置構成を有する。計量機本体１０Ａの正面及び背面のそれぞれ前方には、独立して互いに給油作業が行える２つ給油地点（給油車両停車地点）２-x，２-yが形成される構成になっている。ここでは、給油地点２-xを形成する計量機本体１０Ａの正面の外観装置構成をもとに、計量機本体１０Ａの各部構成について説明し、計量機本体１０Ａの背面の構成についてはその説明を省略する。
【００２７】
下部筺体部１０Ａａの機器収納部１０Ａa1には、車両等の燃料タンク（被供給体）の給油口に筒先を挿入され、操作レバーの操作により油液の供給・遮断がマニュアル操作可能な給油ノズル１３が収納されるノズル掛け１４が配置されている。給油ノズル１３は、図示した計量機１０では、１つ給油地点２-xで、ハイオクガソリン，レギュラーガソリン，軽油の３油種の中、いずれの油種であっても給油できるように、各油種それぞれに対応させて３つの給油ノズル１３-1，１３-2，１３-3が配置されている。この関係から、機器収納部１０Ａa1には、これら３つの給油ノズル１３-1，１３-2，１３-3に対応させて３つのノズル掛け１４-1，１４-2，１４-3が設けられている。各ノズル掛け１４-1，１４-2，１４-3には、給油ノズル１３の掛け外しに連動して開閉するノズルスイッチ１５（後述の図５参照）が設けられている。
【００２８】
機器収納部１０Ａa1の内部には、給油ノズル１３-1，１３-2，１３-3それぞれに対応させて、各給油ノズル１３に対して油液を供給するポンプ等の送液機器１７（図５参照）や、給油ノズル１３から吐出された油液の量（すなわち、給油量）を計測するための流量計等の流量計測機器１８（図５参照）が収容されている。そして、流量計測機器１８による計測後、流量計測機器１８から流出される油液は、柱部１０Ａｃ内を延設された配管を介して上部筺体部１０Ａｂに導かれ、上部筺体部１０Ａｂから導出されたホース１２-1，１２-2，１２-3を介して対応する給油ノズル１３-1，１３-2，１３-3に供給される。また、下部筺体部１０Ａａの機器収納部１０Ａa1には、給油所地下に敷設された電源線（図示省略），前述したＳＳ−ＬＡＮ９０，画像データ専用信号線９２，及び通話専用信号線９４がその底面側から内部に導かれている。
【００２９】
一方、下部筺体部１０Ａａの表示器部１０Ａa2には、給油量，給油金額，給油単価を表示するための表示器１６、セルフ給油作業による給油内容の設定を行うための設定器３０，等が配置されている。
【００３０】
設定器３０には、顧客が所望の油種や給油量を設定操作するために、ハイオクガソリン，レギュラーガソリン，軽油といった給油可能油種についての油種選択キー３１と、満タン給油キー３２及びプリセット給油における例えば１０，２０，３０リットルといった給油量プリセット値毎、１０００，３０００、５０００円といった給油金額プリセット値毎のプリセット値設定キー３３と、これらキー３１〜３３によって設定操作した油種及び給油量についての確認（確定）又は取消を行う確認キー３４及び取消キー３５とが配置されている。
【００３１】
また、設定器３０には、現金支払で給油作業を行う顧客が紙幣を預け入れる払込紙幣収納装置４１（後述の図５参照）の紙幣挿入口４１ａと、顧客が所持するクレジットカードや給油所が発行したプリペイドカードから記録された情報を読み取ったり、給油終了後にプリペイドカードに更新された給油可能金額（残金情報）を書き込んだりするカードリーダ／ライタ装置４２（図５参照）のカード挿入部４２ａとが一体的に配置されている。さらに、払込紙幣収納装置４１に預け入れされた金額やカードリーダ／ライタ装置４２によって読み取られたプリペイドカードの給油可能金額を表示する設定表示器３６も一体的に配置されている。
【００３２】
さらに加えて、図示した計量機１０の場合は、例えば赤外線センサ等を用いて構成され、設定器３０の前方に顧客が立っているのを検出する人検知センサ４３と、顧客が給油口からキャップを取り外す前に手を触れることによって顧客の身体に帯電している静電気を除去する静電気除去シート４４と、事務所３にいる給油所係員との間で会話を行うためのインタホン子機６５の操作部６５ａと、給油作業の終了後に伝票を発行する伝票発行装置４０の伝票発行口４０ａとが、設定器３０と一体的に配置されている。なお、インタホン子機６５の操作部６５ａにおけるスピーカ６５a1は、セルフ給油作業の作業手順やキャップ装着忘れ等を発声案内する音声報知装置４５（図５参照）のスピーカを兼ねている。
【００３３】
上述した下部筺体部１０Ａａに対し、柱部１０Ａｃによって空間を空けて上方に支持された上部筺体部１０Ａｂには、前述した給油エリア及びその周辺の映像を撮影する監視カメラ２０が配置されている。
【００３４】
また、図示した計量機１０の下部筺体部１０Ａａの機器収納部１０Ａa1と表示器部１０Ａa2との高さ方向における境界部分には、セルフ給油作業の際に給油口から取り外されたキャップ９８を保持しておくためのキャップ保持器８０が設けられている。
【００３５】
図３は、このキャップ保持器の一実施例の構成図である。
図３に示すように、キャップ保持器８０は、キャップ９８が載置される皿状の保持部８１と、保持部８１の上方にキャップ取り出し／収納空間８２を介して配置された庇状の検出部８３とを備えて構成され、保持部８１と検出部８３とは板状部材８４によって一体的に連結された構成になっている。そして、庇状の検出部８３には、保持部８１側に臨ませて、保持部８１にキャップ９８が載置されているか否かを載置されたキャップ９８と非接触で検出するキャップ検知器８５のセンシング部が設けられている。このキャップ検知器８５のセンシング部としては、反射式フォトセンサや超音波センサ等といった非接触型の物体検出センサが用いられる。また、庇状の検出部８３には、キャップ保持器８０自体の所在案内器及びキャップ装着忘れ報知器として機能可能な、例えばＬＥＤやランプによって構成された発光表示器８６が設けられている。これらキャップ検知器８５及び発光表示器８６の信号線及び電源線は、庇状の検出部８３部分の背面から外部に導出され、計量機本体１０Ａの下部筺体部１０Ａａにおける表示器部１０Ａa2内部に設けられた計量機制御装置１１（後述の図５参照）に接続される。そして、キャップ保持器８０は、計量機本体１０Ａの高さ方向に、保持部８１背面を下部筺体部１０Ａａの機器収納部１０Ａa1表面に対向位置させ、かつ検出部８３背面を下部筺体部１０Ａａの表示器部１０Ａa2表面に対向位置させて、計量機本体１０Ａに一体的に取り付けられている。なお、図３に示したキャップ保持器８０の実施例では、発光表示器８６の発光面８６ａは、検出部８３の庇面８３ａに外部から視認可能に設けたが、図４に示すように構成してもよい。
【００３６】
図４は、計量機本体に設けられたキャップ保持器の別の実施例の構成図である。
図４のキャップ保持器８０の場合は、発光面８６ａを検出部８３の保持部対向面８３ｂに設けて、キャップ取り出し／収納空間８２を照射するように構成されている。さらに、別な実施例として、発光面８６ａを検出部８３内部に設け、反射部材を用いて発光面８６ａからの光を検出部８３の庇面８３ａ及び保持部対向面８３ｂにそれぞれ形成した窓部に導く構成とすることも可能である。
【００３７】
次に、上述したように構成される計量機１０のシステム構成について、図５により説明する。
図５は、計量機のシステム構成を示したブロック図である。
計量機１０に備えられた表示器１６，送液機器１７，監視カメラ２０，設定器３０の設定表示器３６，伝票発行装置４０，払込紙幣収納装置４１，カードリーダ／ライタ装置４２，キャップ保持器８０の発光表示器８６，及び音声報知装置４５は、ノズルスイッチ１５のノズル掛け外し信号，流量計測機器１８の流量発信器からの流量信号，設定器３０の各種キー３１〜３５の操作信号，人検知センサ４３の人検知信号，キャップ保持器８０のキャップ検知器８６からのキャップ検出信号，及びＳＳ−ＬＡＮ９０を介して給油管理機７０から通信インタフェース１９に供給される給油許可信号等に基づいて、計量機制御装置１１によって制御される。
【００３８】
計量機１０は、この計量機制御装置１１による制御下で、顧客操作が予め定められた所定手順に従っているか否かを確認しながら、送液機器１７を駆動制御して車両等の燃料タンクに対する給油を行う。その際、計量機１０は、流量計測機器１８の流量発信器からの流量信号に基づいて給油量等の給油データを演算し、表示器１６に表示する。そして、顧客の給油が終了した場合は、計量機１０は、給油管理機７０にＳＳ−ＬＡＮ９０を介して給油データを送信するとともに、伝票発行装置４０によって顧客に対する伝票発行を行う。顧客の給油がカードリーダ／ライタ装置４２を使用したプリペイドカードによる場合は、カードリーダ／ライタ装置４２によってプリペイドカードに記録された前述の給油可能金額も含む給油情報記録の更新を行う。
【００３９】
次に、給油管理機７０の構成について、図１により説明する。
給油管理機（ＰＯＳ本体機）７０は、制御処理手段としてのコンピュータ本体７１と、操作入力手段としてのキーボード７２と、出力手段としてのプリンタ７３及びディスプレイ装置７４とを有し、コンピュータ本体７１には、各種情報を記憶する記憶装置７５が設けられている。給油管理機７０は、コンピュータ本体７１に備えられた通信インタフェースを介してＳＳ−ＬＡＮ９０に接続されているとともに、監視モニタ装置６２と接続されている。そして、給油管理機７０は、予め定められた所定手順の顧客操作に基づいて計量機１０からＳＳ−ＬＡＮ９０を介して供給される給油要求信号を受信した場合は、給油要求信号を受信した計量機１０の給油エリア２の映像に対応させて、給油待ちの表示指示を監視モニタ装置６２に出力する。また、給油待ちの計量機１０を指定して給油所係員がキーボード７２で給油許可操作を行った場合には、ＳＳ−ＬＡＮ９０を介して指定した計量機１０に給油許可信号を出力する。また、給油管理機７０は、計量機１０からＳＳ−ＬＡＮ９０を介して供給される給油データに基づく販売管理処理を行うとともに、同じくＳＳ−ＬＡＮ９０を介して接続された釣銭機（精算機）５０の釣銭支払処理を管理する。
【００４０】
次に、釣銭機５０の構成について、図１及び図６により説明する。
図６は、釣銭機のシステム構成を示したブロック図である。
図６に示すように、釣銭機５０は、計量機１０の伝票発行装置４０によって給油作業終了時に発行された伝票に記載された釣銭情報を読み取る釣銭情報読取装置５１と、釣銭の排出を行う釣銭支払機５２とを備えている。これら釣銭情報読取装置５１及び釣銭支払機５２は、釣銭機５０筐体内に設けられた釣銭支払制御装置５３によって制御され、釣銭支払制御装置５３は、通信インタフェース５４を介してＳＳ−ＬＡＮ９０に接続されている。さらに、釣銭支払制御装置５３には、キャップ装着忘れ警報器５５が接続されている。
【００４１】
釣銭機５０は、ＳＳ−ＬＡＮ９０を介して接続された給油管理機７０による管理下で、顧客に対する釣銭の支払、及びキャップ忘れ報知を行う。図示の例では、キャップ装着忘れ警報器５５は、スピーカ５６からの音声報知及び表示器５７による警報表示の報知機能を備えている。
【００４２】
以上説明したように、本発明の一実施の形態によるキャップ報知システムが適用されるセルフサービス給油システム１は構成されるが、次にこのセルフサービス給油システム１による給油作業を例に、本実施の形態によるキャップ報知システムについて図面とともに説明する。
【００４３】
図７,図８は、計量機の計量機制御装置が行うセルフ給油作業処理のフローチャートである。
図９は、給油管理機が行うセルフ給油作業処理のフローチャートである。
図１０は、釣銭機が行うセルフ給油作業処理のフローチャートである。
【００４４】
計量機１０は、顧客によりセルフ給油作業が開始される前の待機状態では、図７に示すように、人検知センサ４３からの人検知信号の入力待ち状態(ステップSD10) 、及びキャップ保持器８０に備えられたキャップ検知器８５からのキャップ検出信号の入力待ち状態(ステップSD20)になっている。  
【００４５】
給油管理機７０は、待機状態では、図９に示すように、計量機１０からの給油要求信号の入力待ち状態（ステップSP10）、給油所係員によるキーボード７２からの給油許可操作待ち状態（ステップSP20）、計量機１０からのキャップ忘れ信号の入力待ち状態（ステップSP30）、計量機１０からのキャップ忘れ解除信号の入力待ち状態（ステップSP40）、釣銭機５０からの伝票発行信号の入力待ち状態（ステップSP50）、及び計量機１０からの給油データの入力待ち状態（ステップSP60）、計量機１０からの故障信号の入力待ち状態（ステップSP70）、及び計量機１０からの故障解消信号の入力待ち状態（ステップSP80）になっている。
【００４６】
これに対し、釣銭機５０は、待機状態で、図１０に示すように、その釣銭情報読取装置５１による伝票読み込み待ち状態（ステップSR10）になっている。
【００４７】
以下、一台の計量機１０に着目して、顧客が当該計量機１０を使用して給油作業を行う場合を例に、本実施の形態のキャップ報知システムについて説明する。
【００４８】
［実給油準備段階］
ここでは、顧客が、給油ノズル１３の操作レバーを供給操作して給油ノズル１３から油液の吐出が行われる前の実給油準備段階の計量機１０及び給油管理機７０による処理について説明する。
【００４９】
顧客は、実給油を行うに当たって、まず計量機１０に備えられた静電気除去シート４４に触れて身体に帯電している静電気を除去した後、設定器３０に備えられたカードリーダ／ライタ装置４２にプリペイドカード若しくはクレジットカードを挿入するか、又は払込紙幣収納装置４１に紙幣を挿入するかをした上で、設定器３０に備えられた油種選択キー３１により給油を行う油種を設定し、満タン給油キー３２若しくはプリセット値設定キー３３によりその給油量を設定し、確認キー３４を操作して設定内容の確定を行う。また、顧客は、これらの作業と相前後して、燃料タンクの給油口からキャップ９８を取り外し、当該取り外したキャップ９８をキャップ保持器８０の保持部８１に載置する。
【００５０】
計量機１０では、顧客が燃料タンクの給油口からキャップ９８を取り外す前に静電気除去シート４４に触れて身体に帯電している静電気を除去すると、この静電気除去のために計量機本体１０Ａの前方に立った顧客を人検知センサ４３が検出する（ステップSD10のYES）。計量制御装置１１は、人検知センサ４３から人検知信号が供給されると、上述した顧客によるプリペイドカード若しくはクレジットカードの挿入に基づきカードリーダ／ライタ装置４２から供給される読取データ又は紙幣挿入に基づき払込紙幣収納装置４１から供給される紙幣検出データの入力、設定器３０の油種選択キー３１の操作による油種設定入力、及び満タン給油キー３２又はプリセット値設定キー３３の操作による給油量設定入力に対応して、これから開始する実給油についての給油情報の設定処理を行う（ステップSD11）。そして、顧客が設定器３０の確認キー３４を操作して設定した給油情報の確認を行うと、計量制御装置１１は、この確認キー３４の操作入力により（ステップSD12）、設定した給油情報とともに給油要求信号を通信インタフェース１９からＳＳ−ＬＡＮ９０を介して給油管理機７０に向けて出力する（ステップSD13）。また、計量制御装置１１は、この給油要求信号の出力とともに、音声報知装置４５を制御して、例えば「キャップを開け、キャップ保持器８０に置いてください」といったキャップの取り外し・保管案内を発声させ（ステップSD14）、キャップ保持器８０に備えられた発光式表示器８６を点滅させる（ステップSD15）。
【００５１】
その上で、計量制御装置１１は、キャップ保持器８０に備えられたキャップ検知器８５からのキャップ検出信号待ち状態（ステップSD16）、及び給油管理機７０からＳＳ−ＬＡＮ９０を介して供給される給油許可信号の入力待ち状態（ステップSD17）になる。  
【００５２】
したがって、本実施の形態によるキャップ報知システムによれば、キャップの取り外し・保管案内の発声、すなわち、セルフ給油作業における給油口からのキャップ取り外し作業の進行に関連させて、キャップ保持器８０に備えられた発光式表示器８６が点滅し始め、キャップ保持器８０の所在を視覚的に顧客に報知することができる。これにより、顧客は、キャップ保持器８０の所在を、発光式表示器８６が点滅し始めたことによる視覚的変化で認識できるので、キャップの取り外し・保管案内が生じても容易にキャップ保持器８０の所在を把握することができる。
【００５３】
次に、上述したような通常の実給油準備段階に対して、人検知待ち状態（ステップSD10）及びキャップ検出待ち状態（ステップSD20）である待機状態の計量機１０で、人検知器２０よりも先にキャップ保持器８０に備えられたキャップ検知器８５からキャップ検出信号が供給された場合について説明する。
【００５４】
この場合、計量機制御装置１１は、故障信号を通信インタフェース１９からＳＳ−ＬＡＮ９０を介して出力するとともに（ステップSD21）、自身の自己診断エリアにキャップ検知器８５の故障を記憶する（ステップSD21）。その上で、計量機制御装置１１は、人検知待ち状態（ステップSD22）、及びキャップがキャップ保持器８０の保持部８１に載置されていないことを確認するキャップ非検出待ち状態（ステップSD23）になる。
【００５５】
この故障記憶後の人検知待ち状態（ステップSD22）及びキャップ非検出待ち状態（ステップSD23）において、キャップ検知器８５が保持部８１にキャップが載置されているのを検出している状態で、人検知センサ２０から人検知信号が供給されると、計量機制御装置１１は、上述したステップSD11〜SD15と同様な、給油情報設定処理（ステップSD25），確認キー３４の操作入力待ち処理（ステップSD26），給油要求信号の出力処理（ステップSD27），キャップの取り外し・保管案内処理（ステップSD28），及びキャップ保持器８０に備えられた発光式表示器８６の点滅処理（ステップSD29）を行って、給油管理機７０から供給される給油許可信号の入力待ち状態（ステップSD30）になる。
【００５６】
これにより、キャップ保持器８０のキャップ検知器８５が故障や誤検出を起こしている場合や、ユーザが静電気除去シート４４に触れる前や設定器３０を操作して給油情報を設定する前にキャップを給油口から取り外してキャップ保持器８０の保持部８１に載置してしまった場合であっても、給油管理機７０から給油許可信号の供給を条件に、計量機１０をセルフ給油作業に使用することができる。
【００５７】
これに対し、計量機制御装置１１は、前述の故障記憶後の人検知待ち状態（ステップSD22）及びキャップ非検出待ち状態（ステップSD23）において、キャップ検知器８５が保持部８１にキャップが載置されていなくなったことを検出した場合には（ステップSD24）、故障解消信号を通信インタフェース１９からＳＳ−ＬＡＮ９０を介して出力するとともに（ステップSD31）、自身の自己診断エリアに記憶されているキャップ検知器８５の故障を記憶抹消する（ステップSD32）。これにより、計量機１０は、前述した顧客によりセルフ給油作業が開始される前の待機状態（ステップSD10，SD20）に復帰する。これにより、キャップ保持器８０のキャップ検知器８５の故障と、キャップ保持器８０の保持部８１にセルフ給油作業とは無関係に置かれた物等をキャップ検知器８５の誤検出してしまう場合とを区別して、計量機１０は、キャップ検知器８５の故障を自己判断することができる。
【００５８】
一方、上述した計量機１０が行う実給油準備段階の処理に対応して、給油管理機７０は次のような処理を行う。
【００５９】
まず、計量機１０から故障信号が供給された場合は（図９、ステップSP70）、例えば、給油管理機７０は、故障信号を受信した計量機１０の給油エリア２の映像に対応させて、故障の表示指示を監視モニタ装置６２に出力する（ステップSP71）。これにより、給油所係員が、その映像から、キャップ検知器８５の異常を監視することができ、上述したようなキャップ検知器８５の誤検出による場合は、その原因を給油エリア２の映像から把握することも可能になる。
【００６０】
そして、計量機１０から故障解消信号が供給された場合は（ステップSP80）、給油管理機７０は、計量機１０の給油エリア２の映像に対応させて監視モニタ装置６２に出力している故障の表示指示を停止させる（ステップSP81）。
【００６１】
また、給油管理機７０は、計量機１０から給油要求信号が供給された場合は（ステップSP10）、給油要求信号を受信した計量機１０の給油エリア２の映像に対応させて、給油待ちの表示指示を監視モニタ装置６２に出力する（ステップSP11）。監視モニタ装置６２は、モニタ６３に映し出された対応する給油エリア２の監視映像中に給油待ち表示を行う。そして、このモニタ６３によって給油待ちを確認した給油所係員は、キーボード７２で対応する計量機１０の給油許可操作を行う。
【００６２】
給油管理機７０は、給油所係員によって給油待ちの計量機１０を指定して給油許可操作が行われると（ステップSP20）、ＳＳ−ＬＡＮ９０を介して指定された計量機１０に対して給油許可信号を出力する（ステップSP21）。そして、給油管理機７０は、監視モニタ装置６２に対して対応する計量機１０の給油待ち表示を停止させる（ステップSP22）。
【００６３】
上述したように、給油要求信号に応答して給油管理機７０からの給油許可信号が供給された計量機１０は（図７、ステップSD17，SD30）、その計量機制御装置１１がキャップ保持器８０に備えられた発光式表示器８６の点滅を停止させて、実給油可能状態になる。
【００６４】
なお、上記説明では、計量機１０は、給油情報の確定後、給油管理機７０からの給油許可信号の供給のみを実給油可能の条件とし（ステップSD17，SD30）、キャップ保持器８０に備えられたキャップ検知器８５からの検出信号の供給は実給油可能の条件としなかったが（ステップSD16）、これはキャップが索条等によって給油口に連結されていてキャップ保持器８０にキャップを載置することができない燃料タンクを考慮したためによるものである。また、発光式表示器８６の点滅を停止は、給油管理機７０からの給油許可信号の供給により行なわれるように構成したが、キャップ検知器８５からの検出信号の供給、又は次に説明する実給油段階におけるノズルスイッチ１５からノズル外し信号によって、発光式表示器８６の点滅を停止を行わせる構成としてもよい。
【００６５】
［実給油段階］
顧客は、給油情報の設定で選択した油種の給油ノズル１３をノズル掛け１４から取り出してその筒先を給油口に挿入し、操作レバーを供給操作する。この給油ノズル１３のノズル掛け１４からの取り出しに基づき、ノズルスイッチ１５からノズル外し信号が入力された実給油可能状態の計量機１０は、送液機器１７を起動し、給油ノズル１３に油液を供給し、燃料タンクへの実際の給油、すなわち給油ノズル１３からの油液の吐出が開始される。この間、給油が終了し、給油ノズル１３がノズル掛け１４に掛け戻されるまで、計量機制御装置１１は、表示器１６による給油量等の表示、設定されたプリセット値の給油を完了するための送液機器１７の駆動制御等といった給油処理を行うとともに（ステップSD40）、給油終了待ち状態（ステップSD41）になっている。この給油終了待ち状態としては、上述した給油ノズル１３のノズル掛け１４への掛け戻しによりノズルスイッチ１５から供給されるノズル戻し信号の入力待ち状態に限らず、プリセット給油又は満タン給油の終了待ち状態等や、又はこれらの組み合わせ状態が利用できる。
【００６６】
［実給油終了段階］
顧客は、給油ノズル１３の操作レバーを遮断操作して燃料タンクに対する給油を終了したならば、給油ノズル１３をノズル掛け１４への掛け戻す。そして、顧客は、プリペイドカード若しくはクレジットカードを使用した給油である場合は、カードリーダ／ライタ装置４２から排出されたプリペイドカード若しくはクレジットカードを受け取り、伝票発行装置４０から発行される伝票を受け取って今回給油作業を終える。これに対して、払込紙幣収納装置４１を使用した現金支払給油である場合は、伝票発行装置４０から発行される伝票を受け取り、さらに釣銭がある場合は、釣銭機（精算機）５０によって釣銭の返却を受ける。  
【００６７】
計量機１０では、例えば給油ノズル１３のノズル掛け１４への掛け戻しによってノズルスイッチ１５からノズル戻し信号が供給されて給油終了状態になると、計量機制御装置１１は、給油量、プリペイドカードの給油金額、払込紙幣収納装置４１に挿入した紙幣の払込金額等の今回給油に関係する給油データを、ＳＳ−ＬＡＮ９０を介して給油管理機７０に向けて出力する（図８、ステップSD42）。
【００６８】
また、計量機制御装置１１は、この給油データの出力とともに、音声報知装置４５を制御して、例えば「キャップを閉めてください」といったキャップの装着案内を発声させ（ステップSD43）、キャップ保持器８０に備えられた発光式表示器８６を点滅させる（ステップSD44）。
【００６９】
その上で、計量制御装置１１は、自身の自己診断エリアにキャップ検知器８５の故障が記憶されているか否かを確認し（ステップSD47）、故障が記憶されていない場合は、キャップ非検出待ち状態（ステップSD45）、及び予め定められた所定時間の経過待ち状態（ステップSD46）になる一方、故障が記憶されていた場合には、予め定められた所定時間の経過待ち状態（ステップSD52）になる。
【００７０】
ここでは、自身の自己診断エリアに故障が記憶されていない場合は、計量制御装置１１は、顧客がキャップ保持器８０の保持部８１から給油口への装着のためキャップを取り出したことによって、キャップ検知器８５が保持部８１にキャップが載置されなくなったことを検出した場合には（ステップSD45）、発光式表示器８６の点滅を停止させ消灯する（ステップSD53）。
【００７１】
また、顧客がキャップを給油口に装着し忘れていることによって、予め定められた所定時間の経過してもキャップ検知器８５から検出信号が供給されている場合は（ステップSD46）、計量制御装置１１は、キャップ忘れ信号をＳＳ−ＬＡＮ９０を介して給油管理機７０に向けて出力する（ステップSD48）。その上で、音声報知装置４５を制御して、「キャップを閉めてください」といったキャップの装着案内を発声させ（ステップSD49）、再びキャップ非検出待ち状態（ステップSD50）になる。このキャップ非検出待ち状態の間、音声報知装置４５からは繰り返し装着案内が発声させられる。
【００７２】
そして、キャップ検知器８５が保持部８１にキャップが載置されなくなったことを検出した場合には（ステップSD50）、計量制御装置１１は、キャップ忘れ解除信号をＳＳ−ＬＡＮ９０を介して給油管理機７０に向けて出力し（ステップSD51）、発光式表示器８６の点滅を停止させ消灯する（ステップSD53）。
【００７３】
これに対し、自身の自己診断エリアにキャップ検知器８５の故障が記憶されている場合は、計量制御装置１１は、所定時間の経過を待って（ステップSD52）、発光式表示器８６の点滅を停止させ消灯する（ステップSD53）。
【００７４】
また、計量機１０は、図８では図示省略したが、前述したステップSD42でＳＳ−ＬＡＮ９０を介して給油管理機７０に向けて給油データを出力した後、給油管理機７０からＳＳ−ＬＡＮ９０を介して伝票発行承認又は伝票発行データ（後述の伝票識別コードも含む）の供給を受けた場合は、計量機制御装置１１は、伝票発行装置４０に対して伝票の発行指示を供給し、今回給油についての伝票を伝票発行口４０ａから排出させる。また、その際、今回の給油がカードリーダ／ライタ装置４２にプリペイドカード若しくはクレジットカードを挿入して行った給油である場合は、計量機制御装置１１は、この給油管理機７０からの伝票発行承認及び伝票発行データの供給により、挿入されたプリペイドカード若しくはクレジットカードの返却・排出をカードリーダ／ライタ装置４２に指示する。さらに、今回の給油がプリペイドカードを挿入して行ったプリペイド給油である場合は、上述したプリペイドカードの返却・排出に当たって、記録されている給油可能金額（残金情報）の更新も含む給油情報記録の更新記録を指示する。また、今回の給油が払込紙幣収納装置４１に紙幣を挿入して行った現金支払給油であり、釣銭がある場合には、伝票発行装置４０は、伝票に釣銭機（精算機）５０による釣銭受取が必要である旨の指示と、伝票を識別するための伝票識別コード（例えばバーコードよりなる）を合わせて印刷する。
【００７５】
一方、上述した計量機１０が行う実給油終了段階の処理に対応して、給油管理機７０及び釣銭機５０は次のような処理を行う。
【００７６】
図９において、給油管理機７０は、実給油の終了に伴い、給油データがＳＳ−ＬＡＮ９０を介して計量機１０から供給されると（ステップSP60）、給油データより給油料金を演算するとともに（ステップSP61）、現金支払給油である場合には釣銭額も演算し（ステップSP62）、その精算データを記憶装置７５に記録する（ステップSP63）。そして、給油管理機７０は、図９では図示省略するが、伝票発行承認及び伝票発行データをＳＳ−ＬＡＮ９０を介して伝票発行装置４０が一体的に設けられている計量機１０に出力する。
【００７７】
また、給油管理機７０は、実給油の終了に伴い、キャップ忘れ信号がＳＳ−ＬＡＮ９０を介して計量機１０から供給されると（ステップSP30）、ディスプレイ装置７４にキャップ忘れがあった計量機１０の番号を表示する等して給油所係員に報知するとともに（ステップSP31）、上述した当該番号の計量機１０を使用した記憶装置７５に記録されている最新の精算データに対応付けてキャップ忘れが発生した旨を記録する（ステップSP32）。これにより、給油管理機７０からの報知を受けた給油所係員は、監視カメラ２０によってモニタ６３に映し出された映像により顧客がまだ給油エリア２にいる場合は、インタホン親機６４によって顧客に注意を促すことができ、顧客が給油エリア２から立ち去ってしまっている場合でも、精算データによって顧客を特定することが可能になる。  
【００７８】
また、このキャップ忘れ信号の入力後、前述した計量機１０によって繰り返し発生される装着案内（ステップSD49）、又は上述した給油管理機７０からの報知（ステップSP31）に基づく給油所係員の注意等により顧客がキャップを装着した場合には、その際に計量機から供給されるキャップ忘れ解除信号（ステップSD48）の入力により（ステップSP40）、給油管理機７０はディスプレイ装置７４に表示されているキャップ忘れがあった計量機１０の番号の表示（ステップSP31）を消去し（ステップSP41）、記憶装置７５に記録されている該当するキャップ忘れがあった精算データ（ステップSP32）からキャップ忘れの記録を抹消する（ステップSP42）。
【００７９】
さらに、本実施の形態のキャップ報知システムでは、給油管理機７０は釣銭機５０と協働して顧客が現金支払で釣銭返却がある場合には、その釣銭返却時（精算時）にもキャップ装着忘れがあった旨を報知する構成になっている。
【００８０】
現金支払による顧客は、釣銭が生じた場合には、前述した伝票発行装置４０によって発行された、釣銭受取が必要である旨の指示と、伝票を識別するための伝票識別コードとが印刷された伝票（以下、これを精算伝票と称する）を釣銭機５０まで持参して釣銭の返却を受ける。釣銭の返却を受けるに際し、顧客は、釣銭機５０に備えられた釣銭情報読取装置５１によって精算伝票に印刷された釣銭情報としての伝票識別コードを読み取らせる。
【００８１】
図６及び図１０において、釣銭機５０は、釣銭情報読取装置５１による精算伝票に印刷された伝票識別コードの読み込みが行われると（ステップSR10）、釣銭支払制御装置５３はこの伝票識別コードを含む伝票発行信号を通信インタフェース５４からＳＳ−ＬＡＮ９０を介して給油管理機７０に出力する（ステップSR11）。そして、釣銭支払制御装置５３は、給油管理機７０からのキャップ忘れ信号の入力待ち状態（ステップSR12）、及び給油管理機７０からの精算データ（釣銭額を含む）の入力待ち状態（ステップSR13）になる。
【００８２】
一方、給油管理機７０は、図９に示すように、釣銭機５０からの伝票発行信号が供給されると（ステップSP50）、この伝票識別コードに基づき、記憶装置７５に記録されている該当する精算データを照会し、キャップ忘れの記録（ステップSP32）があるか否かを確認する（ステップSP51）。そして、給油管理機７０は、キャップ忘れの記録がある場合には、ＳＳ−ＬＡＮ９０を介して釣銭機５０にキャップ忘れ信号を出力する（ステップSP52）。また、給油管理機７０は、キャップ忘れの記録がない場合には、釣銭額を含む精算データをＳＳ−ＬＡＮ９０を介して釣銭機５０に出力するとともに、記憶装置７５に記録されている該当する精算データに精算済みを記録する（ステップSP53）。
【００８３】
釣銭機５０は給油管理機７０からキャップ忘れ信号が供給された場合には（ステップSR12）、釣銭支払制御装置５３はキャップ装着忘れ警報器５５の表示器（警報ランプ）５７を点灯させ（ステップSR14）、そのスピーカ５６から「キャップを閉め忘れています。キャップを閉めてください」といった警報を発声させる（ステップSR15）。そして、釣銭支払制御装置５３は、所定時間経過後表示器を消灯し（ステップSR16）、釣銭の返却を行わずにその処理を終了する。これに対し、給油管理機７０から精算データが供給された場合には（ステップSR13）、釣銭支払機５２に精算データに基づく釣銭返却を指示して釣銭の返却を行わせる。
【００８４】
したがって、現金支払の顧客で釣銭返却がある場合には、さらに釣銭返却時に釣銭機５０によっても、キャップ忘れを教示されるので、給油終了後のキャップ忘れの防止がさらに確実になる。
【００８５】
以上説明した本実施の形態のキャップ報知システムによれば、セルフサービス給油システムに適用した場合、次のような効果を奏する。
【００８６】
まず、顧客は、実給油の開始に当たってキャップ保持器８０の所在が、また実給油を終了した際にはキャップ保持器８０にキャップが保持されていることを、キャップ保持器８０に備えられた発光表示器８６の給油作業の進行に合わせた点滅開始によって感得できるので、キャップ保持器８０の所在及びキャップ保持器８０にキャップが保持されていることを、給油作業を行う顧客に対して強く意識付けさせることができる。さらに、キャップを置くキャップ保持器８０を顧客に強く意識付けできることによって、適当な場所にキャップを置いて、キャップも置いた場所も汚してしまうことや、キャップの置き場所がわからなくなってしまうことも防止できる。
【００８７】
また、顧客がキャップを装着し忘れている場合には、給油所係員に対しても報知されるので、給油を終えた顧客がキャップを装着し忘れたまま給油所を出発する前に給油所係員は注意等といった対応をはかることが可能になり、安全性が向上する。
【００８８】
さらに、給油を終えた顧客がキャップを装着し忘れたまま給油所を出発してしまった場合であっても、給油管理機７０が精算データに対応させてキャップ忘れを記憶しているので、キャップを忘れた顧客の特定も容易になる。
【００８９】
また、現金支払の顧客に対しては、釣銭機５０による釣銭返却の際にも、キャップ忘れを釣銭機５０からも顧客に報知する構成になっているので、キャップ忘れの報知発生に対する顧客の注意を喚起し易く、またプリペイドカードやクレジットカードを利用することが多い得意客に対して、現金支払を利用することが多い一元客に対するキャップ忘れ防止が一層効果的にはかれる。
【００９０】
なお、上記説明では、実給油準備段階では、設定器３０及び伝票発行装置４０は計量機本体１１Ａに一体的に構成したが、計量機１０とは別体の独立装置として構成し、ＳＳ−ＬＡＮ９０によって計量機１０と接続する構成としてもよく、さらにキャップ保持器８０も計量機１０に対応させて設けられていればよく、必ずしも計量機本体１１Ａに一体的に設けられている必要はない。
【００９１】
また、上記説明では、本発明のキャップ報知システムをセルフサービス給油システムに適用した場合について説明したが、その適用はセルフサービス給油システムに限られるものではなく、給油所係員が給油作業を行うフルサービス給油システムに適用しても、給油所係員のキャップ忘れのうっかりミスの発生の防止に役立つ。
【００９２】
このように、本発明のキャップ報知システムは、その適用対象に応じて、種々の変形例が可能である。
【図面の簡単な説明】
【００９３】
【図１】本発明の一実施の形態によるキャップ報知システムが適用されるセルフサービス給油システムの一実施例の構成図である。
【図２】本実施例のセルフサービス給油システムに使用される計量機の正面図である。
【図３】本実施例のセルフサービス給油システムに使用される計量機に備えられたキャップ保持器の一実施例の構成図である。
【図４】本実施例のセルフサービス給油システムに使用される計量機に備えられたキャップ保持器の変形例の構成図である。
【図５】本実施例のセルフサービス給油システムに使用される計量機のシステム構成を示したブロック図である。
【図６】本実施例のセルフサービス給油システムに使用される釣銭機のシステム構成を示したブロック図である。
【図７】本実施例のセルフサービス給油システムに使用される計量機の計量機制御装置が行うセルフ給油作業処理のフローチャートである。
【図８】本実施例のセルフサービス給油システムに使用される計量機の計量機制御装置が行うセルフ給油作業処理のフローチャートである。
【図９】本実施例のセルフサービス給油システムに使用される給油管理機が行うセルフ給油作業処理のフローチャートである。
【図１０】本実施例のセルフサービス給油システムに使用される釣銭機が行うセルフ給油作業処理のフローチャートである。
【符号の説明】
【００９４】
１  セルフサービス給油システム
２  給油エリア
３  事務所
１０  計量機
１０Ａ  計量機本体
１１  計量機制御装置
１２  ホース
１３  給油ノズル
１４  ノズル掛け
１５  ノズルスイッチ
１６  表示器
１７  送液機器
１８  流量計測機器
１９  通信インタフェース
２０  監視カメラ
３０  設定器
３１  油種選択キー
３２  満タン給油キー
３３  プリセット値設定キー
３４  確認キー
３５  取消キー
３６  設定表示器
４０  伝票発行装置
４１  払込紙幣収納装置
４２  カードリーダ／ライタ装置
４３  人検知センサ
４４  静電気除去シート
４５  音声報知装置
５０  釣銭機（精算機）
５１  釣銭情報読取装置
５２  釣銭支払機
５３  釣銭支払制御装置
５４  通信インタフェース
５５  キャップ装着忘れ警報器
５６  スピーカ
５７  表示器
６０  給油所管理装置
６２  監視モニタ装置
６３  モニタ
６４  インタホン親機
６５  インタホン子機
７０  給油管理機
７１  コンピュータ本体
７２  キーボード
７３  プリンタ
７４  ディスプレイ装置
７５  記憶装置
８０  キャップ保持器
８１  保持部
８２  キャップ取り出し／収納空間
８３  検出部
８４  板状部材
８５  キャップ検知器
８６  発光式表示器
９０  ＳＳ−ＬＡＮ
９２  画像データ専用信号線
９４  通話専用信号線
９８  キャップ
【図１】
2005289455.tif 000003
【図２】
2005289455.tif 000004
【図３】
2005289455.tif 000005
【図４】
2005289455.tif 000006
【図５】
2005289455.tif 000007
【図６】
2005289455.tif 000008
【図７】
2005289455.tif 000009
【図８】
2005289455.tif 000010
【図９】
2005289455.tif 000011
【図１０】
2005289455.tif 000012